(57)【要約】【課題】地中への浸透能力が低下しにくい構築物を提供する。【解決手段】排水を一時的に貯留するとともに地下浸透させるための構築物１ａであって、透水性の部分１３を含む側壁１１ａを備えたコンクリート製で中空の少なくとも１つの第１の構造体１０ａと、構築物１ａの最も下に配置される非透水性のコンクリート製で中空の第２の構造体２０とを有する。泥などを含む排水が構築物１ａに流入すると、泥は第２の構造体２０に溜まり、透水性の第１の構造体１０ａおよびその外側の透水性（浸透性）の砕石層９２が目詰まりするのを抑制できる。【選択図】図１
2011006857.tif 000002
【特許請求の範囲】
【請求項１】
排水を一時的に貯留するとともに地下浸透させるための構築物であって、
透水性の部分を含む第１の側壁を備えたコンクリート製で中空の少なくとも１つの第１の構造体と、
当該構築物の最も下に配置された第２の構造体であって、非透水性の第２の側壁と底壁とからなるコンクリート製で中空の第２の構造体とを有する、構築物。
【請求項２】
請求項１において、前記第１の構造体の前記第１の側壁は、上下方向および／または左右方向に分散して設けられた複数の開口を含む、構築物。
【請求項３】
請求項１または２において、前記第１の構造体の前記第１の側壁は、多孔領域を含む、構築物。
【請求項４】
排水を一時的に貯留するとともに地下浸透させるための貯留浸透システムであって、
第１の構築物と、第２の構築物と、を有し、
前記第１の構築物は、透水性の部分を含む第１の側壁を備えたコンクリート製で中空の少なくとも１つの第１の構造体と、前記第１の構築物の最も下に配置された第２の構造体であって非透水性の第２の側壁と底壁とからなるコンクリート製で中空の第２の構造体とを含み、
前記第２の構築物は、多数の骨組を備えた複数のパネルおよび／または多孔性の複数のパネルにより貯留用の空隙を形成可能な樹脂製の複数の充填部材を含み、前記複数の充填部材が互いに並べて配置されており、
前記第１の構造体の前記第１の側壁の前記透水性の部分の少なくとも一部は、前記第２の構築物の前記複数の充填部材の少なくとも一部と対向している、貯留浸透システム。
【請求項５】
請求項４において、前記第１の構造体および前記第２の構造体は、断面が四角形である、貯留浸透システム。
【発明の詳細な説明】
【技術分野】
【０００１】
本発明は、雨水などの排水を一時的に貯留するとともに地下浸透させる際に好適に用いることができる構築物に関するものである。
【背景技術】
【０００２】
特許文献１には、雨水等貯留浸透施設用構造体、およびこれを用いた雨水等貯留浸透施設が開示されている。特許文献１に記載の雨水等貯留浸透施設用構造体は、複数の仕切部材と、複数の側板部材と、複数の面板部材とを含んでいる。仕切部材のそれぞれは、扁平状であって、幅方向において相対向する２辺を有し、互いに間隔を隔てて配置されている。側板部材は、扁平状であって、仕切部材の２辺に結合されている。面板部材のそれぞれは、相対向する２辺のうちの一辺が凹部を有し、他辺は凹部と対応する凸部を有し、隣接する面板部材において一方の凹部に他方の凸部を嵌め込む凹凸嵌合により、全体として一体化されている。仕切板（仕切部材）および側板部材は、高さ方向の辺が、隣接する面板部材の間で、面板部材の一面上に設けられた２つの突起の間に凹凸嵌合されている。
【先行技術文献】
【特許文献】
【０００３】
【特許文献１】特開２００６−３７４８２号公報（段落番号０００６、０００７）
【発明の概要】
【発明が解決しようとする課題】
【０００４】
特許文献１に記載の雨水等貯留浸透施設においては、集水桝に集められた雨水は、集水桝の側壁の底の近傍に設けられた１つの開口を介して構造体に流入し、地中に浸透するようになっている（特許文献１の図９参照）。
【０００５】
ところで、このような雨水浸透施設では、泥などで汚れた雨水が集水桝に流入することがある。このような場合、集水桝の底に泥などが溜まりやすい。しかしながら、集水桝に泥などが溜まると、その泥などが、集水桝の側壁の底あるいはその近傍に設けられた浸透に関与する開口の一部または全部を閉塞させることがある。その結果、雨水等貯留浸透施設における地中への浸透能力が低下する。
【０００６】
また、泥などで汚れた雨水が集水桝に流入すると、上記開口を介して構造体にまで泥などが流入することがある。長年の間に構造体に泥などが溜まると、構造体の空隙率が低下し、これに伴い地中への浸透能力も低下する。
【課題を解決するための手段】
【０００７】
本発明の一態様は、排水を一時的に貯留するとともに地下浸透させるための構築物であって、少なくとも１つの第１の構造体と、当該構築物の最も下に配置された第２の構造体とを有するものである。第１の構造体は、透水性の部分を含む第１の側壁を備えたコンクリート製で中空の構造体である。第２の構造体は、非透水性の第２の側壁と底壁とからなるコンクリート製で中空の構造体であり、当該構築物の底部を形成する。
【０００８】
本発明の一態様にかかる構築物によれば、泥などで汚れた排水が当該構築物内に流入しても、その泥などは第２の構造体内に蓄積される。このため、泥などにより第１の構造体の透水性の部分が閉塞されにくい。したがって、第１の構造体の透水能力（浸透能力）の低下が抑制され、構築物全体としての透水能力が変化しにくい。すなわち、本発明の一態様にかかる構築物によれば、地中に埋設した後も、構築物全体としての透水能力の低下を抑制できる。
【０００９】
また、排水を地下浸透させるための砕石層や、排水貯留用の空隙を形成可能な排水を地下浸透させるための充填部材などが、第１の構造体の外部に配置されて１つのシステム（貯留浸透システム）が形成されることがある。このシステムにおいては、泥などが第１の構造体を通って外部に流出すると、砕石層や充填部材などに溜まり、その空隙率を低下させるおそれがある。
【００１０】
これに対し、本発明の一態様にかかる構築物によれば、泥などで汚れた排水が当該構築物内に流入しても、その泥などは第２の構造体内に蓄積される。このため、泥などが第１の構造体を通って外部に流出しにくい。したがって、砕石層や充填部材などの空隙率を低下させにくく、当該構築物を備えるシステムにおける地中への排水の浸透能力の低下を抑制できる。
【００１１】
貯留浸透システムに係る構築物は、雨水などの排水を最終的には地中に浸透させることを目的とする。このため、構築物を構成する構造体の側壁はできるだけ、特に、排水が貯まる底部については、透水性の部分を含む設計が採用される。また、地下浸透用の充填部材を含むシステムにおいては、充填部材へ導水するために、構築物の排水が溜まる底部については、充填部材へ水を流すような設計が採用される。
【００１２】
これに対し、本発明の一態様にかかる構築物においては、最下段に、非透水性の第２の側壁および非透水性の底壁からなる非透水性の第２の構造体を配置し、これにより当該構築物の底部を非透水性にしている。第２の側壁は、第２の構造体が筒状であれば１つであり、多角形の箱あるいは角筒状であれば複数である。第２の構造体を設け、ある程度の排水を底部に意図的に溜める（貯留する）ことにより、泥などで汚れた雨水などの排水がこの構築物に流入しても、泥などの、構築物あるいはシステムの浸透能力の低下につながる要因を第２の構造体の内部に蓄積できる。
【００１３】
すなわち、本発明の一態様にかかる構築物は、排水に泥などが含まれる場合に特に好適であり、排水に泥などが含まれる場合であっても、排水に含まれる泥などによって、第１の構造体の透水能力（浸透能力）の低下や、砕石層や充填部材などの空隙率の低下による地中への排水の浸透能力の低下を抑制できる。地下浸透用の構築物および貯留浸透システムは地下に埋設されるものであり維持管理が１つの問題となりやすい。この構築物においては浸透能力の低下を抑制できるので、地下浸透用の構築物および貯留浸透システムの能力を長期間にわたり一定に維持できる。
【００１４】
また、泥などが砕石層や充填部材などにまで流入すると、その排除が困難となる。本発明の一態様にかかる構築物によれば、砕石層や充填部材に達する前に泥などを第２の構造体内にいったん溜められる。第２の構造体内にたまった泥であれば、当該構築物内に多く流入しても、比較的容易に取り除くことができる。
【００１５】
また、本発明の一態様にかかる構築物によれば、第２の構造体内に所定量の排水を溜めることもできる。すなわち、本発明の一態様にかかる構築物によれば、一定量の水を確保（貯留）することができるため、この水を灌水などとして使用（利用）できる。
【００１６】
浸透性の第１の構造体の第１の側壁は、上下方向および／または左右方向に分散して設けられた複数の開口を含むことが好ましい。浸透性の第１の構造体の第１の側壁は、多孔領域を含むものであってもよい。第１の構造体に流入する排水の水量が増しても、上下方向および／または左右方向に分散して設けられた複数の開口や多孔領域を介して、排水が分散して第１の構造体の外部に流出する。したがって、第１の構造体から流出する水の流速が急激に増加することを抑制できる。また、上述のように、排水を地下浸透させるための砕石層や充填部材などが第１の構造体の外部に配置されて１つのシステム（貯留浸透システム）が形成されている場合には、第１の構造体から砕石層や充填部材などに流入する水の流速が急激に増加することを抑制できる。
【００１７】
また、本発明の他の態様は、排水を一時的に貯留するとともに地下浸透させるための貯留浸透システムであって、第１の構築物と、第２の構築物とを有するものである。第１の構築物は、上述した構築物であり、透水性の第１の構造体と、構築物の最下層を形成する非透水性の第２の構造体とを含む。第２の構築物は、多数の骨組を備えた複数のパネルおよび／または多孔性の複数のパネルにより貯留用の空隙を形成可能な樹脂製の複数の充填部材を含む。複数の充填部材は、互いに並べて配置されている。この貯留浸透システムにおいては、第１の構造体の第１の側壁の透水性の部分のうちの少なくとも一部は、第２の構築物の複数の充填部材の少なくとも一部と対向している。
【００１８】
この貯留浸透システムによれば、上記構築物（第１の構築物）を備えているため、排水に泥などが流入したときに、泥などを第２の構造体によりトラップし、第１の構造体に流入する泥を抑制できる。泥などが第２の構築物内（充填部材内）にまで流入すると、その排除が困難となりやすいが、この貯留浸透システムによれば、泥などは第１の構築物の第２の構造体内に溜め、第２の構築物への流入を抑制できる。このため、第２の構築物内への影響を抑制できるとともに、第１の構築物の最下層となる第２の構造体にはアクセスできるので比較的容易に第１の構築物でトラップした泥を取り除くことができる。
【００１９】
上記の貯留浸透システムにおいて、第１の構築物の第１の構造体および第２の構造体は、断面が四角形であることが好ましい。この貯留浸透システムにおいては、第１の構造体の透水性の側壁のうちの少なくとも一部が複数の充填部材の少なくとも一部と対向するように配置しやすく、それらを隙間が少ない状態で密に配置しやすい。
【図面の簡単な説明】
【００２０】
【図１】本発明の第１の実施形態にかかる構築物を示す縦断面図。
【図２】図１中のII−II線に沿って切断して示す断面図。
【図３】図１中のIII−III線に沿って切断して示す断面図。
【図４】本発明の第１の実施形態にかかる構築物を用いた貯留浸透システムの一例を示す縦断面図。
【図５】図４中のV−V線に沿って切断して示す断面図。
【図６】図４の貯留浸透システムが備える充填部材を示す斜視図。
【図７】図４の貯留浸透システムが備える充填部材を示す分解斜視図。
【図８】本発明の第２の実施形態にかかる構築物を示す縦断面図。
【発明を実施するための形態】
【００２１】
以下、図面を参照して、本発明の実施形態について説明する。図１は、本発明の第１の実施形態にかかる構築物を示す図であって、この構築物を地下に埋設した状態を縦断面図により示している。図２は、図１中のII−II線に沿って切断した断面図（横断面図）を示している。図３は、図１中のIII−III線に沿って切断した断面図（横断面図）を示している。
【００２２】
この構築物１ａは、排水を一時的に貯留するとともに地下浸透させるための構築物であって、第１の構造体（浸透層、浸透桝、ブロック）１０ａと、第２の構造体（下部構造体、下部槽、下部桝、ブロック）２０と、第３の構造体（上部構造体、上部槽、上部桝、ブロック）３０と、第１の構造体１０ａの上に搭載された（第１の構造体１０ａと第３の構造体３０との間に配設された）コンクリート製の板状部材４０と、第２の構造体２０の下に配設されたコンクリート製の底板部材（基礎）５０とを有している。
【００２３】
第１の構造体１０ａは、コンクリート製で断面四角形状の中空の構造体であって、４つの第１の側壁（周壁）１１ａを備えている。第１の構造体１０ａは、角筒状で、工場においてプレハブ（プレキャスト）された外形直方体状の、上壁および底壁が設けられていない桝型のコンクリート製の中空のブロックである。本例の第１の構造体１０ａの外形寸法の一例は、平面視が約１０００×１０００ｍｍの正方形で、高さが約１０００ｍｍであり、側壁１１ａの厚さが約１００ｍｍである。すなわち、本例の第１の構造体１０ａの内部空間は、それぞれ、平面視が約８００×８００ｍｍの正方形で、高さが約１０００ｍｍであり、作業員が侵入できるサイズとなっている。第１の構造体１０ａのサイズはこれに限定されるものではない。第１の構造体１０ａの内部には、作業員が構築物１ａに入って作業する際に用いられる階段１２が設けられている。
【００２４】
第１の構造体１０ａの４つの第１の側壁１１ａは、それぞれ、透水性の部分（透水性領域）１３を含んでいる。本例では、これらの第１の側壁１１ａのほぼ全域が透水性領域１３である。具体的には、これらの第１の側壁１１ａのそれぞれには、上下方向および左右方向に分散して（断続して）、細長い形状の複数の開口（孔）１４が設けられている。すなわち、本例では、それぞれの第１の側壁１１ａに、複数の開口１４が２次元的にマトリクス状に設けられている。なお、第１の側壁１１ａの強度を確保するために、開口１４は、上端および下端から１５０ｍｍの範囲内には設けないことが好ましい。
【００２５】
第１の側壁１１ａのそれぞれには、１６（４×４）個の、上下方向に縦長の形状の開口１４が設けられている。それぞれの開口１４は、内側から見ると上下方向に長い長方形状であり、その左右両側部および上下両端部が内側から外側に向かって広がっている。開口１４の幅は、それぞれ、砕石などが通過しない、あるいは通過しにくい大きさとなっている。縦長の開口１４を配置することにより、上下方向の加重を受けるコンクリート壁（第１の側壁１１ａ）の断面積を確保しながら、十分な開口面積が得られるようにすることができる。なお、複数の開口１４は、正方形状、円形状、あるいは、左右方向に横長の形状、楕円形状などとしてもよい。
【００２６】
第２の構造体２０は、コンクリート製で断面四角形状の中空の構造体であって、４つの第２の側壁（周壁）２１と底壁２２とを備えている。第２の構造体２０は、有底角筒状であり、工場においてプレハブ（プレキャスト）された外形直方体状の、上壁が設けられていない桝型のコンクリート製の中空のブロックである。本例の第２の構造体２０の外形寸法の一例は、平面視が約１０００×１０００ｍｍの正方形で、高さが約６００ｍｍであり、側壁２１および底壁２２の厚さが約１００ｍｍである。本例の第２の構造体２０の内部空間は、平面視が約８００×８００ｍｍの正方形で、高さが約５００ｍｍとなっており、作業員が入れるサイズになっている。
【００２７】
４つの第２の側壁２１および底壁２２は、それぞれ、コンクリート壁で、開口は積極的に設けられておらず、また、ポーラスでもなく、実質的に非透水性（不浸透性、止水性）である。第２の構造体２０は、第１の構造体１０ａの下部に配置され、当該構築物１ａの底部（最下層、最下部）を形成している。第２の構造体２０の内部にも、作業員が入って作業する際に用いられる階段を設けてもよい。
【００２８】
第３の構造体３０は、コンクリート製で断面四角形状の中空の構造体であり、４つの第３の側壁（周壁）３１と上壁３２とを備えている。１つまたは複数の第３の側壁３１には、雨水などの排水を導入する導入口（水導入口）３４が設けられ、排水管９１は、側溝などの集水部（集水システム、図示せず）と排水管９１を介して連通している。第３の構造体３０は、構築物１ａへの作業員の出入り口、集水用の空間および、ごみを取り除くための空間として機能する。このため、第３の構造体３０の内部にも、作業員が構築物１ａに入って作業する際に用いられる階段３３が設けられている。また、第３の構造体３０の上壁（天井）３２の略中央部には、直径約６００ｍｍの平面円形状の孔（開口部、出入口）３５が設けられている。第３の構造体３０の上には、この出入口３５を塞ぐように鋳鉄製の蓋３６が搭載されている。
【００２９】
第１の構造体１０ａと第３の構造体３０との間に配設されたコンクリート製の板状部材４０は、工場においてプレハブ（プレキャスト）されたコンクリート版（コンクリート製の壁体、コンクリート製の板状部材）である。板状部材４０の略中央部には、対角線長さが約６００ｍｍの平面矩形状の孔（開口部）４１が設けられ、構築物１ａの内部の中間床となっている。板状部材４０の開口部４１は、網状部材４２により覆われ、網状部材４２により、ごみや石などの比較的大きな異物を除去できる。さらに、網状部材４２は、２つの小型の網部材４３に分かれており、網状部材４２を取り外して下の第１の構造体１０ａおよび第２の構造体２０に作業員が侵入できるようになっている。
【００３０】
このように、この構築物１ａは、底板部材５０、第２の構造体２０、第１の構造体１０ａ、板状部材４０、第３の構造体３０を、この順番で下から積層することにより構築されている。第１の構造体１０ａは、構築物１ａの深さにより複数のブロックが積層されたものであってもよい。また、石などは泥とともに第２の構造体２０でトラップできるので、板状部材４０を省いてもよく、また、第３の構造体３０は地上、排水管９１の配置、側溝の配置などの条件により様々な形状を採用でき、現場でコンクリートにより施工してもよい。
【００３１】
また、各構造体１０ａ、２０、３０は、工場プレハブのブロックの代わりに、各側壁、または、側壁と底壁または上壁を形成するコンクリート製のプレキャスト板を現場で組み立てるタイプであってもよい。その場合、第２の構造体２０は、一体成型のブロックと同程度の止水性を得るためにコーキングなどの止水処理をすることが望ましい。
【００３２】
この構築物１ａは、例えば、道路、駐車場、ガソリンスタンド、グラウンド、緑地帯などの下を掘削し、上記の各構造体１０ａ、２０、３０、５０などを上記の順番になるように積み重ね、さらに周囲を適当な土、石または砕石の層により埋めもどすことにより施工される。埋設された構築物１ａにより、道路、駐車場、ガソリンスタンドの地下をそれらの設備などから排出される排水を一時的に貯留したり、地下に浸透させるための空間として利用できる。
【００３３】
この構築物１ａを含む貯留浸透システム１００においては、第１の構造体１０ａの外部（第１の側壁１１ａの外部）に、これを囲むように、砕石が敷き詰められた層（砕石層）などの透水性（浸透性）を有する層９２を形成することが好ましい。第３の構造体３０の外部および第２の構造体２０の外部は、透水性を有する層であってもよいが、透水性の少ない土または粘土層９３であってもよい。土層９３は、当該構築物１ａを地下に埋設する際に発生した土を埋め戻すことにより形成可能な層である。
【００３４】
この貯留浸透システム１００の周囲（砕石層９２や土層９３の外側）に、透水シート（透水性シート）９４を設けてもよい。透水シート９４の一例は、ガラス繊維、プラスチック繊維などの耐食性の高い繊維からなる不織布である。透水シート９４により、貯留浸透システム１００から、砂質土などからなる周囲の層（オリジナルの土層）９５に対する浸透率を制御することができる。
【００３５】
この構築物１ａおよびシステム１００において、排水管９１などからこのシステム１００内（構築物１ａの第３の構造体３０内）に流入した排水は、石、ペットボトル、ビニールなどのごみが網状部材４２により捉えられ、第１の構造体１０ａおよび第２の構造体２０に流入する。一定量の排水は、第２の構造体２０に溜まり、構築物１ａ内に一時的に貯留される。第２の構造体２０に溜まる量を超えた排水は、第１の構造体１０ａの４つの第１の側壁１１ａにそれぞれ設けられた複数の開口１４を介して、適当なスピードで徐々に砕石層９２に浸透する。第１の構造体１０ａの４つの第１の側壁１１ａに、上下方向および左右方向に分散して複数の開口１４が設けられている。このため、第１の構造体１０ａまで達した排水は、４つの第１の側壁１１ａの複数の開口１４を通じて、上下方向および左右方向に分散され、四方の砕石層９２に浸透する。さらに、透水シート９４がある場合は、透水シート９４を介して、適度なスピードで徐々に地下（周囲の砂質土層９５や砂層）に浸透（排出）される。
【００３６】
排水とともに第１の構造体１０ａおよび第２の構造体２０に流入した泥などの沈下性の異物は、第１の構造体１０ａおよび第２の構造体２０の内部で沈下し、最下層の第２の構造体２０の内部に溜まる。第２の構造体２０は不透水性（非透水性）で、溜まった水は漏れ出さないので沈下した泥なども外部へ漏れ出ることはない。また、第２の構造体２０に開口がないため第２の構造体２０が目詰まりする心配はもともとない。すなわち、本例の構築物１ａによれば、底部に目詰まりが生じることがない。さらに、本例の構築物１ａによれば、第２の構造体２０の内部に泥などを溜めることができるため、溜まった泥などを外部に排出しやすい。
【００３７】
したがって、この構築物１ａでは、泥などの沈下性の異物は第２の構造体２０にためられるので、それらが第１の構造体１０ａの開口１４から流れ出して開口１４を目詰まりさせたり、開口１４を介して砕石層９２に流入して隙間を埋めたりすることが少ない。このため、このシステム１００では、砕石層９２の空隙率の低下などにより、排水の地中への浸透能力が低下することが抑制される。
【００３８】
また、構築物１ａでは、第２の構造体２０の内部に溜められた排水を、ポンプなどで吸い上げることにより灌水などとして利用できる。同時に、第２の構造体２０の内部に溜められた泥などをくみ上げ、比較的容易に排出することができる。構築物１ａおよびシステム１００に作業員が定期的に入って第２の構造体２０の内部を清掃し、溜められた泥などを外部に排出するようにしてもよい。
【００３９】
以上のように、本例の構築物１ａおよびこれを用いたシステム１００においては、排水に含まれる泥などによる透水能力（浸透能力）の低下を抑制できる。したがって、長期間にわたって、透水能力をほぼ一定に維持できる貯留浸透システム１００を提供できる。
【００４０】
図４は、本発明の第１の実施形態にかかる構築物１ａを用いた貯留浸透システム１１０の一例を縦断面図により示している。図５は、図４中のＶ−Ｖ線に沿って切断した断面図（横断面図）を示している。図６は、図４の貯留浸透システム１１０の第２の構築物２を形成するための充填部材を斜視図により示している。図７は、充填部材を分解斜視図により示している。
【００４１】
この貯留浸透システム１１０は、排水を一時的に貯留するとともに地下浸透させるためのシステムであって、第１の構築物１ａと、第２の構築物２とを備えている。第１の構築物としては、例えば、上述の構築物１ａを用いることができる。
【００４２】
第２の構築物２は、地中に排水の貯留空間を形成するためのものであり、排水貯留用の空隙を形成するための複数の充填部材（空隙部材）６０と、積み重ねられた複数の充填部材６０の外側（最外層）を覆う透水シート９４とを含む。本例では、略直方体状に組み立てられた同一形状の充填部材６０を１つのユニット（単位）として用い、複数の充填部材６０を所定の形となるように縦横に積み上げることにより、所望の体積の貯留空間を有する第２の構築物２を構築している。
【００４３】
それぞれの充填部材６０は、図６および図７に示すように、排水の一時貯留用の空隙を形成するものである。本例の充填部材６０は、多数の骨組を備えた複数の樹脂性のパネル（プレート）６１および６２を組み合わせることにより、外形略直方体のボックス状に形成されている。多孔性のパネル６１および６２は、樹脂材料、例えば、プラスチック、プラスチック繊維、ガラス繊維、さらにはプラスチックを含む複合材料などの、成形性が高く、強度も高い材料により形成されている。パネル６１および６２は、格子状、扇状など、強度が高く、しかも、多孔状あるいは開口率の大きな形状（スケルトン状）であり、パネル６１および６２をボックス状に組み合わせることにより、充填部材６０は、全体として高い強度と、大きな貯留空間とが確保できる。
【００４４】
図７に示すように、本例の充填部材６０は、具体的には、平面略正方形状の５枚の第１のパネル６１と、平面略長方形状の４枚の第２のパネル６２とを有している。第１のパネルおよび第２のパネル６１および６２は、それぞれ、枠状の部材と多数の骨組とを備えており、略格子状に形成されている。第１のパネル６１の平面形状は、例えば、一辺が約４００ｍｍの正方形状である。第２のパネル６２の平面形状は、例えば、長辺が約７００ｍｍ、短辺が約４００ｍｍである。４枚の第２のパネル６２は、第１のパネル６１をそれぞれ囲むように、角筒状に連結され、ボックス状に組み立てられている。本例の充填部材６０のように、スケルトン状に縦横さらに斜めなどに強度部材が伸びたボックス状の充填部材は、強度、水の流通性、重量、運搬費用を含めた施工コストなどの点で優れている。
【００４５】
なお、充填部材６０は、上述した充填部材に限定されるものではない。充填部材６０は、多数の骨組を備えた複数のパネルおよび／または多孔性の複数のパネルにより貯留用の空隙を形成可能なものであればよい。充填部材６０は、例えば、プラスチック製のパイプであって、周壁に多数の開口（小孔）が設けられたパイプを、断面方向に縦横に積重ねたようなものであってもよい。
【００４６】
水を貯留する空間を形成する充填部材６０は、浸透材、貯留用の構造材などとも称されるものである。上記のシステム１００と同様に、互いに並べて配置された複数の充填部材６０の周囲を透水シート９４で覆うことにより、第２の構築物２における排水の透水性（透水率）および貯留時間を制御できる。透水シートの一例は、ガラス繊維、プラスチック繊維などの耐食性の高い繊維からなる不織布である。透水シート９４の他の例は、適当な大きさの多数の開口あるいは孔が開いたビニールシートあるいはその他の樹脂によるシートである。不織布は、密度を変えたり、厚みを変えたり、多層にすることにより透水率を制御することが可能であるため、透水シート９４として好ましい。
【００４７】
これら複数の充填部材６０は、第１の構築物１ａの周囲（四方）に、４つの第１の側壁１１ａのそれぞれの透水性の部分１３と対応（対峙、対面）するように、マトリクス状に（縦横に）、互いに並べて配置されている。本例のシステム１１０では、第１の構築物１ａの第１の構造体１０ａと第２の構築物２の複数の充填部材６０とが対向して配置されている。一方、第１の構築物１ａの第２の構造体２０は、第２の構築物２の下端よりも低い位置（下がった位置）に配設（埋設）されている。
【００４８】
第１の構造体１０ａと充填部材６０との間は、密着させてもよいが、図４および図５に示すように、隙間Ｓを設けてもよい。第１の構造体１０ａと充填部材６０との間に隙間Ｓができる場合には、第１の構造体１０ａと充填部材６０との間に緩衝材（例えば、発泡スチロールなど）１２０を適当な間隔で、開口１４と重ならないように設けることが好ましい。
【００４９】
本例では、図４に示すように、複数の充填部材６０は、上下方向に２段、互いに並べて配置されている。また、図５に示すように、複数の充填部材６０は、第１の構築物１ａの導入口３４が設けられている側（図５において右側）およびその反対側においては、それぞれ、７個×５個×２段＝７０個、互いに並べて配置されている。さらに、図５に示すように、複数の充填部材６０は、第１の構築物１ａの奥側（図５において上側）および手前側（図５において下側）には、それぞれ、２個×２個×２段＝８個、互いに並べて配置されている。
【００５０】
なお、第１の構造体１０ａの透水性の部分１３を含む第１の側壁１１ａの全てが充填部材６０と対向していなくてもよい。このシステム１１０においては、第１の構造体１０ａの透水性の部分１３を含む第１の側壁１１ａのうちの少なくとも一部を、複数の充填部材６０の少なくとも一部と対向させることにより、第１の構造体１０ａを介して、第１の構築物１ａから第２の構築物２へ排水を流入させることができる。また、外形略直方体状の充填部材６０の並べ方は本例に限定されない。充填部材６０の数、配列数、積層段数、充填部材６０のサイズ、形状などは、第２の構築物２に要求される貯留空間などにより、任意に設定できる。
【００５１】
このシステム１１０において、雨水などの排水は、第１の構築物１ａの第３の構造体３０を介して、第１の構造体１０ａおよび第２の構造体２０に流入し、第２の構造体２０から溢れた排水が第１の構造体１０ａを介して第２の構築物２に供給される。第２の構築物２に供給された排水は、複数の充填部材６０内において一時的に貯留され、透水シート９４により制御されたスピードで徐々に地下浸透する。
【００５２】
この貯留浸透システム１１０では、非透水性で泥が溜まる第２の構造体２０よりも上に位置する第１の構造体１０ａから第２の構築物２に排水が供給される。したがって、第２の構築物２には、泥が流入しにくく、第２の構築物２に泥が蓄積されにくい。このため、泥の蓄積により第２の構築物２の貯留容量が減ったり、泥により透水シート９４が目詰まりして透水率が変動したりすることを抑制でき、長期間にわたり所望の性能を維持できる。
【００５３】
また、システム１１０においては、第１の構築物１ａの非透水性の第２の構造体２０が、第２の構築物２よりも下側に設けられている。このため、第２の構築物２に溜まった泥は、第２の構造体２０に流出し易い構造となっている。このため、さらに、第２の構築物２に泥が溜まりにくく、システム１１０の浸透性能を長期間にわたり維持できる。
【００５４】
図８は、本発明の第２の実施形態にかかる構築物を縦断面図により示している。この構築物１ｂは、２つの第１の構造体１０ｂと、第２の構造体２０と、排水導入用の構造体７０と、出入り口用の構造体８０と、底板部材５０とを有している。
【００５５】
上側の第１の構造体１０ｂと下側の第１の構造体１０ｂは、互いに同一のものであり、断面四角形状の中空の構造体であって、４つの第１の側壁（周壁）１１ｂを含む。それぞれの側壁１１ｂは、上枠１５、透水部１６、下枠１７を含む。中間の透水部１６は、多孔領域であり、骨材を大きくして多数の隙間（多孔）を作ったポーラスコンクリートにより形成されている。上枠１５および下枠１７は、ポーラスコンクリートからなる透水部１６が欠けやすいため、その縁を補強するように通常の（ポーラスではない）コンクリートにより形成されている。上枠１５および下枠１７の厚みは、通常１５０ｍｍ程度である。
【００５６】
構築物１ｂの最下層に位置する第２の構造体２０は、上述した構築物１ａの第２の構造体２０と共通の構成であり、非透水性のコンクリート製のボックスである。なお、符号２３は、作業員が第２の構造体２０の内部に入って作業する際に用いられる階段を示している。
【００５７】
構築物１ｂの最上部に位置する排水導入用の構造体７０は、角筒状であって、４つの側壁７１のうちの２つの側壁７１に、雨水などの排水を導入する導入口（水導入口）７２が設けられている。なお、導入口７２が設けられる側壁７１は、２つに限定されるものではない。出入り口用の構造体８０は、上方に向かうにしたがって断面が小さくなるように形成されたブロックであって、その上には、この出入口を塞ぐように鋳鉄製の蓋８１が搭載されている。
【００５８】
この構築物１ｂにおいても、第１の構造体１０ｂおよび第２の構造体２０に流入した排水中の泥などの沈下性の異物は第２の構造体２０に蓄積される。したがって、泥などにより第１の構造体１０ｂのポーラスな透水部１６が詰まったり、外側の砕石層９２が目詰まりしたりすることを抑制できる。
【００５９】
このように、透水性の第１の構造体１０ａまたは１０ｂは１つに限らず２以上であってもよい。また、第１の構造体１０ａおよび１０ｂ、また第２の構造体２０は角筒型の変わりに円筒状であってもよい。さらに、上述した寸法は一例であり、構築物（第１の構築物）を構成する第１の構造体および第２の構造体の大きさは、流入が予想される排水の量、浸透率、貯留時間などの条件により任意に設定することができる。
【符号の説明】
【００６０】
１ａ、１ｂ  構築物（第１の構築物）、  ２  第２の構築物
１０ａ、１０ｂ  第１の構造体、  １１ａ  第１の構造体の側壁
２０  第２の構造体、  ２１  第２の構造体の側壁、  ２２  第２の構造体の底壁
６０  充填部材、  １００、１１０  貯留浸透システム
【図１】
2011006857.tif 000003
【図２】
2011006857.tif 000004
【図３】
2011006857.tif 000005
【図４】
2011006857.tif 000006
【図５】
2011006857.tif 000007
【図６】
2011006857.tif 000008
【図７】
2011006857.tif 000009
【図８】
2011006857.tif 000010